(57)【要約】【課題】    ドロップ光ケーブルのテンションメンバー入り光ファイバケーブル本体を構成する外部の被覆層にノッチや切り込みが形成されていない場合、容易に被覆中の光ファイバ心線を容易に取り出すことができなかった。【解決手段】互いに開閉自在に配置された一対の作用片と、この作用片の少なくとも一方に凹溝が形成され、前記一対の作用片が互いに閉じた際にその一対の作用片間に貫通孔が形成され、更に、前記貫通孔内に位置する前記少なくとも一方の作用片に切り裂き刃が配置され、前記貫通孔内にドロップ光ケーブルのテンションメンバー入り光ファイバケーブル本体を通過させることにより、前記切り裂き刃が前記光ファイバケーブル本体の被覆層に切り裂き溝を形成するようにした。【選択図】    図１
2005221833.tif 000002
【特許請求の範囲】
【請求項１】
互いに開閉自在に配置された一対の作用片と、この作用片の少なくとも一方に凹溝が形成され、前記一対の作用片が互いに閉じた際にその一対の作用片間に貫通孔が形成され、更に、前記貫通孔内に位置する前記少なくとも一方の作用片に切り裂き刃が配置され、前記貫通孔内にドロップ光ケーブルのテンションメンバー入り光ファイバケーブル本体を通過させることにより、前記切り裂き刃が前記光ファイバケーブル本体の被覆層に切り裂き溝を形成することを特徴とする光ファイバケーブルの被覆切り裂き工具。
【請求項２】
一対の作用片にそれぞれ切り裂き刃が形成され、一対の作用片が閉じた時の両切り裂き刃の先端部の間隔が0.4mm〜1.5mmであることを特徴とする請求項１に記載の光ファイバケーブルの被覆切り裂き工具。
【請求項３】
一対の作用片にそれぞれ切り裂き刃が形成され、一対の作用片が閉じた時の両切り裂き刃の先端部を結んだ直線からの光ファイバ心線までの距離が0.4mm以下となるように、前記両切り裂き刃が配置されていることを特徴とする請求項１又は請求項２に記載の光ファイバケーブルの被覆切り裂き工具。
【発明の詳細な説明】
【技術分野】
【０００１】
本発明は、被覆層に光ファイバ心線取り出し用のノッチや切り込みが形成されていない光ファイバケーブルから、光ファイバ心線を取り出すことを可能とする光ファイバケーブルの被覆切り裂き工具に係るものである。
【背景技術】
【０００２】
従来、幹線光ケーブルから家庭に引き込むための引き込み用光ファイバケーブルとして、図８に示すような構造のドロップ光ファイバケーブル１１が使用されている。この光ファイバケーブル１１は、被覆層１２の表面に、その長手方向に沿ってノッチ１３や切り込みが形成されて被覆層１２に薄肉部が形成されたものとなっている。このため、ドロップ光ファイバケーブル１１の布設時などにおいて特殊な工具を使用することなく、前記薄肉部１３を人の手で容易に切り裂くことが出来、ケーブル内部の光ファイバ心線１４を容易に取り出すことが可能である。
【０００３】
なお、１５は光ファイバ心線１４の両サイドに配置されたＦＲＰなどによるテンションメンバーであり、テンションメンバー１５、光ファイバ心線１４及びこれらを被覆する被覆層１２とで光ファイバケーブル本体１６が構成されている。１７は光ファイバケーブル本体１６を保持するための支持線であり、被覆層１２により被覆されて光ファイバケーブル本体１６と連結されている。
【０００４】
しかしながら、ノッチ１３が形成されたドロップ光ファイバケーブル１１は、クマゼミがそのノッチ１３に産卵のために産卵管を刺し、内部の光ファイバを断線又は損傷させることが指摘されている。これは、断線した光ファイバ心線１４上の傷部の詳細な調査で、産卵管の角度に相当する傷が確認されていることやクマゼミの発生地域に限定されていることから明らかになっている。更に、現在確認されているのはクマゼミだけであるが、他の種類の昆虫などによっても生じる恐れある。
【０００５】
一方、今後、ＦＴＴＨ(Fiber To The Home)の急速な進展が見込まれ、一般住宅などへの引き込み用ドロップ光ファイバケーブル１１の需要が増すものと予想される。従って、これらの被害を未然に防ぐ対処が急務となっている。
【０００６】
このようなことから、このような区域等においては、図７に示すように、被覆層１２にノッチや切り込みを形成させない構造のドロップ光ファイバケーブル１１’を採用することが検討されている。このような構造の光ファイバケーブル１１’は被覆層１２に肉薄部が形成されていないので容易に被覆層１２を引き裂くことができない。そこで、専用の引き裂き工具が必要となるが、従来において光ファイバテープ心線から単心光ファイバ心線を分離する工具として種々のものが提案されている（例えば特許文献１、２）。
【０００７】
特許文献１に記載された単心分離工具は、図９に示すように、各々の基端側の把持アーム２１、２２が連結軸２３により揺動可能に連結され、開閉自在の把持アーム２１・２２の先端に一対の作用片２４・２５が形成され、この両作用片２４・２５の内側にそれぞれ鑢板２６・２７が配置されたたものである。
【０００８】
この工具は、図示しない光ファイバテープ心線を前記鑢板２６・２７間に配置して、光ファイバテープ心線の表裏に圧力を掛けながら両者を相対的に移動させることにより、光ファイバテープ心線の外表面に傷を付け、光ファイバテープ心線の被覆層を除去しようとするものである。
【０００９】
特許文献２に記載された単心分離工具は、図１０に示すように、外周に回転刃３１が形成された一対の回転ローラ３２・３３間に、加工しようとする光ファイバテープ心線３４を挿入し、前記回転刃３１により光ファイバテープ心線３４の外周に形成された被覆層３５を切断し、単心の光ファイバ心線３６、３６・・に分離するものである。
【００１０】
図１０（ｂ）は、図１０（ａ）におけるＰ―Ｐ線における断面図であり、図１０（ｃ）は図１０（ａ）におけるＱ―Ｑ線における断面図であり、両者は回転ローラ３２・３３の異なる位置に対して光ファイバテープ心線３４に食い込む回転刃の深さが異なっている。
【００１１】
【特許文献１】特開平１０‐３１９２５１号公報
【特許文献２】特開２００３‐５７４５３号公報
【発明の開示】
【発明が解決しようとする課題】
【００１２】
しかしながら、上記特許文献１に記載された単心分離工具は、光ファイバ心線の複数を平面状に配列し、その外側に被覆層を形成した外寸（０．３２±０．０４ｍｍ（厚さ））×（１．１±０．２ｍｍ（幅））程度の大きさの４芯光ファイバテープ心線を加工の対象とするものである。これに対して、本発明は、１又は複数の光ファイバ心線の外側に１又は複数のテンションメンバーを配置させた外寸１．５ｍｍ（厚さ）×３．０ｍｍ（幅）〜２．０ｍｍ（厚さ）×４．０ｍｍ（幅）（支持線部を除く）程度の大きさのドロップ光ファイバケーブルを対象とするものであり、両者の製品は互いに被覆層を構成する材料のヤング率及びその厚さなどの機械的な寸法が大きく異なるものである。
【００１３】
この結果、特許文献１に記載された単心分離工具を用いて、本発明の対象であるドロップ光ケーブルを加工し、内部の光ファイバ心線を取り出そうとしても機械的な寸法が合わず加工することができない。また仮に、寸法を一致させた構造に改良したとしても、被覆層の厚さが厚く、被覆層の内部に収納された光ファイバ心線を取り出すことができない。
【００１４】
また、特許文献２に記載された単心分離工具は、上記特許文献１と同様に、光ファイバ心線の複数を平面状に配列し、その外側に被覆層を形成した光ファイバテープ心線を加工対象とするものである。また、このような単心分離工具は光ファイバテープ心線を各光ファイバ心線に切断分離するのみであり、依然として光ファイバ心線の外側には被覆層が形成されたままとなっており、被覆層の中から光ファイバ心線を取り出すことができない。
【課題を解決するための手段】
【００１５】
本発明はかかる点に鑑みなされたもので、互いに開閉自在に配置された一対の作用片と、この作用片の少なくとも一方に凹溝が形成され、前記一対の作用片が互いに閉じた際にその一対の作用片間に貫通孔が形成され、更に、前記貫通孔内に位置する前記少なくとも一方の作用片に切り裂き刃が配置され、前記貫通孔内にドロップ光ケーブルのテンションメンバー入り光ファイバケーブル本体を通過させることにより、前記切り裂き刃が前記光ファイバケーブル本体の被覆層に切り裂き溝を形成することを特徴とする。
【００１６】
また本願の他の発明は、一対の作用片にそれぞれ切り裂き刃が形成され、一対の作用片が閉じた時の両切り裂き刃の先端部の間隔が0.4mm〜1.5mmであることを特徴とする。
【００１７】
また更に本願の他の発明は、一対の作用片にそれぞれ切り裂き刃が形成され、一対の作用片が閉じた時の両切り裂き刃の先端部を結んだ直線からの光ファイバ心線までの距離が0.4mm以下となるように、前記両切り裂き刃が配置されていることを特徴とする。
【発明の効果】
【００１８】
本発明は、上述のように、互いに開閉自在に配置された一対の作用片と、この作用片の少なくとも一方に凹溝が形成され、前記一対の作用片が互いに閉じた際にその一対の作用片間に貫通孔が形成され、更に、前記貫通孔内に位置する前記少なくとも一方の作用片に切り裂き刃が配置され、前記貫通孔内にドロップ光ケーブルのテンションメンバー入り光ファイバケーブル本体を通過させることにより、前記切り裂き刃が前記光ファイバケーブル本体の被覆層に切り裂き溝を形成することを特徴とする。
【００１９】
このため、本発明は、ドロップ光ケーブルのテンションメンバー入り光ファイバケーブル本体を構成する外部の被覆層にノッチや切り込みが形成されていない場合であっても、容易に光ファイバケーブル本体の被覆層に切り込み溝を形成することができ、被覆中の光ファイバ心線を容易に取り出すことができる効果を有する。
【実施例１】
【００２０】
以下本発明を図示した実施例に基づき説明する。図１において、１、２はそれぞれ把持アーム、３は把持アーム１、２の一端を軸支するための支持ピン、４、５は把持アーム１・２の前記他端に形成された作用片、６、７は作用片４、５のそれぞれに形成された凹溝、８、９は凹溝６、７のそれぞれに形成された切り裂き刃である。
【００２１】
把持アーム１、２はその一端が支持ピン３で軸支され、互いの把持アーム１、２の他端が互い開閉自在となるように構成されている。また、これらの把持アーム１、２は図示しないスプリングにより互いの把持アームの前記他端が開くように付勢されており、また図示しないストッパーにより前記開きを所定範囲内となるように規制されている。
【００２２】
作用片４、５は把持アーム１、２の前記開閉と連動して互いに開閉するようになっている。作用片４、５にそれぞれ形成された凹溝６、７は作用片４、５が互いに閉じたときに両凹溝６、７が互いに対向するように配置され、両凹溝６、７により貫通孔が形成されている。この貫通孔は両凹溝６、７が必ずしも閉じたものでなく、両サイドに隙間が形成されたものであっても良い。この貫通孔は加工される図７に示す光ファイバケーブル本体１６が通過できるように、例えば幅３．０ｍｍの光ファイバケーブル本体１６に対し溝幅３．３ｍｍとやや大きな大きさに形成される。
【００２３】
凹溝７には、図２に示すように切り裂き刃９が配置されている。凹溝６にも直接には見えていないが切り裂き刃８が配置されている。
【００２４】
このように構成された本発明の光ファイバケーブルの被覆切り裂き工具は、ドロップ光ファイバケーブルの加入者への引き込み現場において以下のようにして用いられる。
【００２５】
先ず始めに、図７に示すドロップ光ファイバケーブルから光ファイバ心線を取り出そうとする位置で、支持線１７の部分と光ファイバケーブル本体１６との連結部分を切り離し両者をそれぞれ分離する。なお、作用片４、５の先端側の厚さ及び高さを小さく形成し、前記連結部が挿通できるようクリアランスを設ければ支持線１７を分離せずに作業することもできる。
【００２６】
次に、図３に示すように、本発明の切り裂き工具の把持アーム１、２を開いた状態で、前記分離された光ファイバケーブル本体１６を一方の凹溝、例えば凹溝７上に配置する。
【００２７】
次に、図４に示すように、両把持アーム１、２の間隔を手で狭め、作用片４、５を互いに閉じる。これにより、光ファイバケーブル本体１６は凹溝６、７で形成される貫通孔内に配置されるとともに、切り裂き刃８、９が光ファイバケーブル本体１６の被覆層１２に突き刺さる。この状態で光ファイバケーブル本体１６を貫通孔に沿って貫通孔内を所定の長さ分だけ走行させる。
【００２８】
これにより、光ファイバケーブル本体１６の被覆層１２は切り裂き刃８．９の深さで前記所定の長さ分の切り裂き溝が形成される。この形成された切り裂き溝は従来のノッチや切り欠きに相当するものであり、その後は従来と同様に、手で両テンションメンバー１５、１５を引き離す方向に広げて切り裂き溝を開き、被覆層１２内に配置された光ファイバ心線を取り出す。その後は、従来と同様に所定の接続などの作業を行う。
【００２９】
図５は、作用片４、５が閉じたときの切り込み刃８、９と光ファイバケーブル本体１６との位置関係を示す他の実施例の断面説明図である。この際、外径２５０μｍφの光ファイバ心線１４に対して、両切り込み刃８、９の間隔ａを0.4mm以下にすると、切り込み刃に光ファイバ心線が接触し、光ファイバ心線に傷を付ける恐れがある。また、ａの値を1.5mmを超えると、切り裂き溝が小さく形成され、テンションメンバを両側に引き裂く際に大きな力が必要になり、特にテンションメンバがFRP（Fiber Reinforced Plastics）で構成されている場合にFRPが折れ、光ファイバ心線も同時に折れてしまう危険性を伴う。従って、ａの値を0.4〜1.5mmにすると、安全に且つ容易に光ファイバ心線１４を取り出すことができる。、更に好ましくはａの値を0.4〜1.0mmにするのが良い。なお、両切り込み刃８、９は図５に示すように多少ずれていてもよい。
【００３０】
図６は本発明の更に他の実施例を示すものであり、両切り込み刃８、９の先端同士を結ぶ線に対して光ファイバ心線１４がｂだけ離れている場合を示している。このとき、外径２５０μｍφの光ファイバ心線１４に対して、ｂは0.4mm以下である必要がある。ｂの値が0.4mmを超えると、光ファイバ心線が被覆層内に取り込まれて光ファイバ心線を取り出すことができない。ｂの値が0.3mm以下であると更に良い結果を得ることができる。なお、両切り込み刃８、９は図６に示すように多少ずれていてもよい。
【図面の簡単な説明】
【００３１】
【図１】本発明の一実施例を示す斜視図。
【図２】上記本発明の一実施例による要部拡大斜視図。
【図３】本発明一実施例の動作説明図。
【図４】本発明の一実施例の他の動作説明図。
【図５】本発明の他の実施例を示す要部構成図。
【図６】本発明の更に他の実施例を示す要部構成図。
【図７】本発明に適用されるドロップ光ケーブルの構成図。
【図８】従来のドロップ光ケーブルの一例を示す構成図。
【図９】従来の光テープ心線分離工具の一例を示す斜視図。
【図１０】従来の他の例の光テープ新鮮分離工具を示す説明図。
【符号の説明】
【００３２】
１・・・把持アーム
２・・・把持アーム
３・・・支持ピン
４・・・作用片
５・・・作用片
６・・・凹溝
７・・・凹溝
８・・・切り込み刃
９・・・切り込み刃
【図１】
2005221833.tif 000003
【図２】
2005221833.tif 000004
【図３】
2005221833.tif 000005
【図４】
2005221833.tif 000006
【図５】
2005221833.tif 000007
【図６】
2005221833.tif 000008
【図７】
2005221833.tif 000009
【図８】
2005221833.tif 000010
【図９】
2005221833.tif 000011
【図１０】
2005221833.tif 000012